(57)【要約】【課題】安価な構成でインターロックスイッチの導通不良を発生させることなく、カバーの開閉を検知することのできる電子写真装置のカバー開閉検知回路を提供する。【解決手段】インターロックスイッチ１を介して給電されている駆動負荷を電子写真装置が待機状態でも、インターロックスイッチ１の最小定格の電流を流すようにすることで、カバーの開閉を瞬時に検知する。【選択図】  図１
2008292794.tif 000002
【特許請求の範囲】
【請求項１】
作業者の安全、及び、装置内部を保護するために設けられているカバーと、前記カバーの開閉に連動してオン・オフ動作するインターロックスイッチを有し、前記インターロックスイッチがオン時に電源から駆動負荷部に給電される回路と、前記駆動負荷部を制御する制御部と、前記インターロックスイッチのオン・オフを検知するカバー開閉検知回路とを有し、前記駆動負荷部が停止しているときは前記駆動負荷部に電流を流すことを特徴とする電子写真装置のカバー開閉検知回路。
【請求項２】
前記駆動負荷部に流す電流は、インターロックスイッチの最小定格以上の電流とすることを特徴とする請求項１記載の電子写真装置のカバー開閉検知回路。
【発明の詳細な説明】
【技術分野】
【０００１】
本発明は、電子写真装置に係り、特にそれのカバー開閉検知回路に関するものである。
【背景技術】
【０００２】
複写機やプリンタなどの電子写真装置は、感光体を帯電させるための高電圧発生部、感光体や紙搬送部を含む各部を駆動させるための駆動部、および用紙上に転写されたトナー像を定着させるための高温発生部を有し、これらの各部にかかる電源系統は安全の為に電子写真装置のカバーを開けると給電を遮断するようになっている。このカバーは、紙詰まりなどの不具合（以下、ジャムという）処理や消耗品等の交換時に電子写真装置内部を開放するためのものである。
【０００３】
図２は、電子写真装置内の給電系統図である。高電圧発生部、駆動部、高温発生部等よりなる駆動負荷部３を有し、給電系統は電子写真装置のカバーの開閉に連動したインターロックスイッチ１を介して駆動負荷部３に給電を行い、作業者がジャム処理等でカバーを開けた時に、インターロックスイッチ１がオフとなり、電源２から駆動負荷部３への給電を遮断する。
【０００４】
また、電子写真装置の制御部４は装置内部の消耗品が交換されたか否か等を検知するために、インターロックスイッチ１の後段側の抵抗器Ｒ１と抵抗器Ｒ２で分圧された電圧と、抵抗器Ｒ３と抵抗器Ｒ４で分圧された基準電圧をコンパレータ５で構成されたカバー開閉検知回路６でカバーが開閉されたことを監視している。
【０００５】
ここで、駆動負荷部３が停止しているときにカバーが開いたことを検知するために、抵抗器Ｒ１と抵抗器Ｒ２の合成抵抗値は、インターロックスイッチ１が導通不良とならない最小定格以上の電流を流せる定数にする必要がある。例えば、インターロックスイッチ１の最小定格電流が２５０ｍＡの場合、数１より抵抗器Ｒ１と抵抗器Ｒ２の合成抵抗値は９６Ω以下とする必要がある。
【０００６】
【数１】
2008292794.tif 000003
【０００７】
抵抗器Ｒ１＝４７Ω、抵抗器Ｒ２＝４７Ω（Ｒ１とＲ２の合成抵抗は、９４Ω）とした場合、数１及び数２より抵抗器Ｒ１と抵抗器Ｒ２の定格電力は、２．９４Ｗ以上とする必要がある。
【０００８】
【数２】
2008292794.tif 000004
【０００９】
このため、セメント抵抗器等の定格電力の大きな抵抗器を必要とし、またチップ抵抗器等よりも形状が大きくなるため、基板への実装スペースが大きくなる。
【００１０】
なお、この種の技術に関しては例えば下記のような特許文献を挙げることができる。
【００１１】
【特許文献１】特開２００３−３２０７３１号公報
【発明の開示】
【発明が解決しようとする課題】
【００１２】
上記背景技術のカバー開閉検知回路において、駆動負荷部が停止している場合においてもカバーの開閉を検知するために、インターロックスイッチの最小定格以上の電流を流しインターロックスイッチが導通不良とならないようにする必要がある。
【００１３】
このため、カバー開閉検知回路の抵抗器にインターロックスイッチの最小定格以上の電流を流すため、定格電力の大きい抵抗器を使用する必要があり、チップ抵抗器などと比較して高価であり、実装スペースが大きい。
【００１４】
本発明の目的は、このような状況のもとでなされたもので、安価な構成でインターロックスイッチの導通不良を発生させることなく、カバーの開閉を検知することのできる電子写真装置のカバー開閉検知回路を提供することにある。
【課題を解決するための手段】
【００１５】
上記目的を達成するため本発明は、作業者の安全、及び、装置内部を保護するために設けられているカバーと、前記カバーの開閉に連動してオン・オフ動作するインターロックスイッチを有し、前記インターロックスイッチがオン時に電源から駆動負荷部に給電される回路と、前記駆動負荷部を制御する制御部と、前記インターロックスイッチのオン・オフを検知するカバー開閉検知回路とを有し、前記駆動負荷部が停止しているときは前記駆動負荷部に電流を流すことを特徴とするものである。
【発明の効果】
【００１６】
上記手段によれば、カバーが閉じた時に、インターロックスイッチの導通不良を発生させることなく、カバー開閉検知回路にてカバーが閉じたことを検知できる。
【００１７】
また、カバー開閉検知回路の抵抗器の抵抗値を大きくすることができるため、定格電力を小さくすることができ、形状の小さくて安価な抵抗器を使用できる。
【００１８】
さらに、カバーが開いた時は、駆動負荷部への給電はインターロックにより遮断されるが、制御部は駆動負荷部に電流を流そうとしているため、駆動負荷部のコンデンサに蓄電されている電荷が駆動負荷部により放電されるため、カバー開閉検知回路によりカバーが開いたことを瞬時に検知することができる。
【発明を実施するための最良の形態】
【００１９】
本発明は、カバーの開閉検知回路において、インターロックスイッチの導通不良なく、カバーの開閉を検知するという目的を、低コストかつ制御の変更で実現したものである。
【００２０】
以下、本発明の一実施例を図１を用いて説明する。同図は、ステッピングモータ７を使用した図２の駆動負荷部の一つであり、ステッピングモータ７の相電流可変駆動回路の概略を示す図である。
【００２１】
本回路は、モータ制御信号を出力する制御部４、モータ駆動回路８とステッピングモータ７で構成されている。モータ駆動回路８は制御部４からのモータドライブ信号、モータ回転方向信号、モータ駆動パルス信号、モータ相電流設定回路９によりステッピングモータ７を駆動する。モータ相電流設定回路９は、トランジスタ１０、抵抗器Ｒ１１、抵抗器Ｒ１２、抵抗器Ｒ１３で構成された基準電圧によりステッピングモータ７の相電流を設定する。基準電圧とステッピングモータ７のモータ相電流には下記関係式が成り立つ。
【００２２】
モータ相電流＝基準電圧／電流検出抵抗
基準電圧は、制御部４からのモータ相電流制御信号により２段階に設定される。モータ相電流制御信号が“Ｌｏ”の時、トランジスタ１０はオフとなり、基準電圧は数３のように高く設定される。
【００２３】
【数３】
2008292794.tif 000005
【００２４】
モータ相電流制御信号が“Ｈｉ”の時、トランジスタ１０はオンとなり、基準電圧は数４のように低く設定される。
【００２５】
【数４】
2008292794.tif 000006
【００２６】
電源２からインターロックスイッチ１を介して給電されているステッピングモータ７が停止しているときは、モータ駆動回路８のドライブ信号をオンとし、ステッピングモータ７をホールド状態とする。このとき、ステッピングモータ７の相電流は、モータ駆動回路８及びモータの発熱低減のため、ステッピングモータ７駆動時の相電流よりも小さくするため、モータ相電流制御信号を“Ｈｉ”とし、基準電圧を低く設定することでステッピングモータ７の相電流を小さくする。
【００２７】
モータ相電流制御信号を“Ｈｉ”のときにインターロックスイッチ１を流れる電流がインターロックスイッチ１の最小定格以上となるように、抵抗器Ｒ１１、抵抗器Ｒ１２、抵抗器Ｒ１３の定数を決める。
【００２８】
制御部４はモータドライブ信号をオンしているため、カバーが開いている状態から閉じたとき、インターロックを介してステッピングモータ７にインターロックスイッチ１の最小定格以上の電流が流れ、インターロックスイッチ１は導通不良にはならないため、カバー開閉検知回路６でカバーが閉じたことを瞬時に検知できる。
【００２９】
また、電子写真装置が待機状態においても、カバーが閉じた状態から開けたとき、インターロックスイッチ１を介して接続されているコンデンサに蓄電された電荷は、ステッピングモータ７により放電されるため、インターロックスイッチ１後段側の電圧は直ぐに落ちるため、カバー開閉検知回路６にて瞬時にカバーが開いたことを検知することができる。
【００３０】
本発明により、カバー開閉検知回路６の抵抗器の定数を大きくできるため、定格電力及び、実装面積の小さい抵抗器を使用することができる。
【産業上の利用可能性】
【００３１】
本発明は、電子写真装置のカバーの開閉を検知するすべての用途に適用できる。
【図面の簡単な説明】
【００３２】
【図１】本発明のインターロック回路及びステッピングモータ制御回路の概略構成図である。
【図２】本発明および従来の給電系統の概略図である。
【符号の説明】
【００３３】
１はインターロックスイッチ、２は電源、３は駆動負荷部、４は制御部、５はコンパレータ、６はカバー開閉検知回路、７はステッピングモータ、８はモータ駆動回路、９はモータ相電流設定回路、１０はトランジスタである。
【図１】
2008292794.tif 000007
【図２】
2008292794.tif 000008